(57)【特許請求の範囲】
【請求項１】
光通過性材料からなり電球軸線を規定するハーメチックシールされたバルブ（２）と、不活性ガス及びハロゲン含有添加物から成る封入ガスと、２つの端部を備え軸線方向に配置された発光体（５）と、この発光体の両端に接続されたリード線系（８；２９、３０）と、バルブの材料から形成され発光体の動きを点で制限する突出部とから構成された電源電圧で作動させるためのハロゲン電球において、点状制限部は一平面に位置して少なくとも３個の突出部から成る系（１１；１６；２５；３５）によってそれぞれ得られ、各突出部は互いに均等に離間して発光体（５）に直交するようにバルブ壁から電球軸線へ向かって延びる漏斗状節（１２；１７；２６；３６）を形成することを特徴とするハロゲン電球。
【請求項２】
バルブ（２；２１）は両側を挟搾されていることを特徴とする請求項１記載のハロゲン電球。
【請求項３】
発光体（５）は少なくとも２つの点で系（１１）によって支持されていることを特徴とする請求項１記載のハロゲン電球。
【請求項４】
ハロゲン電球の発光体は一重又は二重に螺旋巻きされていることを特徴とする請求項１記載のハロゲン電球。
【請求項５】
発光体（５）は発光部（６）と点状保持部が当たる少なくとも１つの結合片（７）とから構成されていることを特徴とする請求項１記載のハロゲン電球。
【請求項６】
結合片（４４）は発光部（４３）より大きなピッチでもって巻回されていることを特徴とする請求項５記載のハロゲン電球。
【請求項７】
少なくとも１つの結合片（４４）は内部ピン（３９）によって短絡されているか、又は発光部が二重もしくは一重に螺旋巻きされている場合には一重に螺旋巻きされるかもしくは螺旋巻きされていない（２４）ことを特徴とする請求項１記載のハロゲン電球。
【請求項８】
ハロゲン電球（２０）は片側を挟搾されていることを特徴とする請求項１記載のハロゲン電球。
【請求項９】
１つの系（２５）のみが使用されていることを特徴とする請求項８記載のハロゲン電球。
【請求項１０】
戻りリード線（２９）が１つの系の２つの節（３６）の間を通され、特に２つの節の壁（４５）の間に挟み込まれていることを特徴とする請求項８記載のハロゲン電球。
【請求項１１】
両側挟搾系ハロゲン電球において、少なくとも２つの系（１１）が設けられていることを特徴とする請求項２記載のハロゲン電球。
【請求項１２】
系の間に位置する個々のバルブセグメントは円筒状（１３）をしているか、又は被膜（１９）を使用する場合には膨らまされている（１５）ことを特徴とする請求項１記載のハロゲン電球。
【請求項１３】
節（４６）は発光体（４８）を非常に僅かな間隔でもってゆるく囲繞することを特徴とする請求項１記載のハロゲン電球。
【請求項１４】
節（４１）は発光体（４２）に接触してその結合片（４４）を直接固定することを特徴とする請求項１記載のハロゲン電球。
【請求項１５】
節（１７）の漏斗形状は楕円形断面を有することを特徴とする請求項１記載のハロゲン電球。
【発明の詳細な説明】
【０００１】
【発明の属する技術分野】
本発明は電源電圧で作動させるためのハロゲン電球に関する。
【０００２】
【従来の技術】
光透過性材料からなり電球軸線を規定するハーメチックシールされたバルブと、不活性ガス及びハロゲン含有添加物から成る封入ガスと、２つの端部を備え軸線方向に配置された発光体と、この発光体の両端に接続されたリード線系と、バルブの材料から形成され発光体の動きを点で制限する突出部とから構成されたハロゲン電球は特に米国特許第５１４６１３４号明細書により公知である。そこでは片側又は両側挟搾系ハロゲン電球が取扱われており、その突出部即ちガラス壁から構成されたブリッジが種々の支持機能を持っている。ブリッジはバルブ壁の互いにほぼ対向位置する２点の間にそれぞれ延在している。しかしながら、その場合、発光体が製造時にブリッジによってその正確な位置からずらされると、発光体の精密な調整が困難になる。このことは特に被膜付き電球にとっては重要である。
【０００３】
ヨーロッパ特許出願公開第１４３９１７号明細書には、バルブ壁の対向位置する点に設けられ線からなるコイル保持体を固定する一対の節によって、軸線方向の発光体が単に間接的に点保持されるような両側挟搾形ハロゲン電球が記載されている。
【０００４】
米国特許第３９８３４４１号明細書及び米国特許第５０４５７４８号明細書の図１２には、発光体を囲繞するか又は間隔をおいて包囲する半径方向に対称な収縮部によって個々のコイル部分を互いに分離させた両側挟搾形ハロゲン電球が論じられている。
【０００５】
【発明が解決しようとする課題】
本発明の課題は、発光体の精密な心出しを保証する冒頭で述べた種類のハロゲン電球を提供することにある。
【０００６】
【課題を解決するための手段】
このような課題を解決するため、本発明によれば、点状制限部が一平面に位置して少なくとも３個の突出部から成る系によってそれぞれ得られ、各突出部は互いに均等に離間して発光体に直交するようにバルブ壁から電球軸線へ向かって延びる漏斗状節を形成する。
【０００７】
本発明の有利な構成は請求項２以降に記載されている。
【０００８】
本発明は原理上片側及び両側挟搾形ハロゲン電球に好適である。しかしながら、両側挟搾形ハロゲン電球の場合、発光体は比較的長く、その理由から１つ又は複数の点状支持部を必要とするので、本発明は両側挟搾形ハロゲン電球に特に好適である。さらに、この電球の場合、軸線方向フィラメントの精密な心出しが電球の作用にとって特に重要である特に干渉フィルタ製の被膜が使用される（ＩＲＣ等）。
【０００９】
ハロゲン電球の発光体は一重又は二重に螺旋巻きすることができる。この発光体は発光部と点状保持部が当たる少なくとも１つの結合片とから構成される。結合片は発光部より大きいピッチでもって巻回することができる。二重螺旋巻きの場合、二次ピッチが考えられる。このような措置は節によって包囲された発光体領域での温度低下に寄与する。それとは別に、結合片は内部ピンによって短絡することができる。しかしながら、発光体は螺旋巻きされていない結合片を有することもできる。
【００１０】
通常、系は一平面に位置する３個又は４個の個々の漏斗状節から成る突出部によって構成される。特殊な場合、５個又はそれ以上の節を設けることは有利である。
【００１１】
片側挟搾形ハロゲン電球の場合、通常は１つの系を必要とするだけである。その場合、戻りリード線が系の個々の節の間を通るように注意しなければならない。戻りリード線を２つの節の間に挟み込むことができる。両側挟搾形ハロゲン電球の場合、通常は少なくとも２つ、しばしば３つ又はそれ以上の系が使用される。
【００１２】
系の間に位置する個々のバルブセグメントは円筒状をしているか、又は被膜を使用する場合には例えば樽形又は楕円面に膨らまされる。
【００１３】
排気管は系の平面内において２個の節の間に設けられるか、又は系平面の外に設けることができる。しかしながら、本発明は特に排気管のない電球に対しても使用することができる。
【００１４】
基本的に節には２つの形態が存在する。第１の形態では、節は発光体に接触することなく発光体をゆるく囲繞する。その場合、節と発光体との間の距離は非常に小さく、従って発光体はその動きを強く制限されるが、強固に固定されていない。
【００１５】
第２の形態では、節は発光体に接触し、ブリッジ技術の場合と同じようにその結合片を直接固定する。その橋“接触”とは、節が発光体に第１の変形例では周囲でのみ接触するか又は第２の変形例では内側節端部の相互接触によって発光体を全部包囲するかもしくは公知のブリッジ技術と同様に完全に押し潰すことを意味する。
【００１６】
本発明による電球は補助の保持手段を有する電球よりコスト的に著しく有利である。発光体の調整精度はブリッジ技術を用いた場合より良好である。
【００１７】
節系の製作は、バルブを発光体の導入後及び端部の挟搾後に３つ（もしくは４つ又はそれ以上）のガスバーナで加熱し、同時に相応する個数の押し型で押圧することによって行われる。節は、発光体がバルブ軸線に関して軸線方向及び半径方向にその動きを著しく制限されるか又は強固に固定されるように形成されている。発光体、又は節形成前には軸線方向に向けられていなかった発光体の部分は、節製作時に自動的に調整される。さらに、電球製造工程中に振動が作用し、それにより間違った状態で固定されるという危険に晒される発光体は、今や自動的に正しい位置にもたらされる。
【００１８】
本発明の特別な利点は、離間した節を使用する場合、発光体を後から初めてバルブ内へ挿入することができる点にある。バルブセグメントの事前成形及び被覆は障害なく実施することができる。
【００１９】
【実施例】
次に本発明を複数の実施例に基づいて詳細に説明する。
【００２０】
図１ａ及び図１ｂは２３０Ｖ電源に直接接続するのに適している５００Ｗの一般照明用両側挟搾形口金付きバルブ電球１を示す。このハロゲン電球１は７ｍｍの内径及び１０５ｍｍの全長を持つ石英ガラス製円筒状バルブ２を有している。中央部に排気管先端３が設けられている。バルブの両端はそれぞれピンチシール４によって閉鎖されている。バルブ２は公知のハロゲン添加物を添加された不活性ガスのアルゴンを封入されている。
【００２１】
軸線方向に配置された発光体５は発光部６と結合片７とに分けられている。発光体は一重に螺旋巻きされており、結合片のピッチは発光部のピッチより大きく選定されている。発光体は、ピッチが発光部のピッチより大きい２本の一重螺旋巻きリード線８とピンチシール内に埋設された２つの封着箔９とを介してセラミック口金１０の接点に接続されている。
【００２２】
全体的に節１２の３つの系１１がバルブの長さに亘ってほぼ等間隔に配置され、発光体５を点状に保持し、その結果その間に位置する発光部６及び端部に隣接する発光部６は弛まず、４つの円筒状バルブセグメント１３の内部の中心に良好に配置されている。バルブセグメント１３はそれぞれ系１１によって互いに分離されている。ハロゲンサイクルは系１１によって妨げられず、電球の光学特性は均等に維持される。各系１１は電球軸線に直交する平面に位置する３個の節１２から構成されている。節１２は漏斗状に形成され、各１２０°の相互角度間隔で、バルブ壁から出発して、発光体へ向けて放射状に内側へ向かっている。節の漏斗形状は円形をしている。しかしながら、図１では遠近法表示のために節は歪められている。
【００２３】
図２ａ及び図２ｂには２つの別の実施例が示されている。図２ａは両側挟搾形電球を示す。この電球は構成が図１に示された電球にほぼ一致するが、楕円形に膨らんだバルブセグメント１５を有しバルブ表面の外側に干渉フィルタ膜１９を持っている。発光体６は３つの節系１６によって保持されている。各系１６は９０°の相互角度間隔で設けられた４個の節１７から構成されている。４個の節の場合相互間隔が小さくなるために節１７の漏斗形状はほぼ楕円形に形成されており、この形状は例えば相応して成形された押し型によって製造時に得ることができる。電球は良好な光学特性を得るために公知の方法で排気管を設けられていない。
【００２４】
図２ｂは同様に構成が図１に示された電球にほぼ一致する両側挟搾形電球を示す。しかしながら、この電球は円筒状バルブセグメント１３を有している。発光体は３つの系１６′によって保持されている。各系１６′は６０°の相互角度間隔で設けられた６個の節１７′から構成されている。６個の節の場合相互間隔が非常に小さくなるために節１７′の漏斗形状は鋭い楕円形に形成されている。排気管１８は最後のバルブセグメントの中央部に設けられている。
【００２５】
図３は円筒状バルブ２１と２本のリード線２９、３１を介して箔３０に接続された軸線方向の発光体２２とを備えた片側挟搾形電球２０を示す。発光体は２つの一重螺旋巻き発光部２３とその間に位置する螺旋巻きされていない結合片２４とを有している。バルブ中央部には結合片の高さのところに３個の節２６から成る単一の系２５が電球軸線に直交して設けられている。ピンチ２７とは反対側に位置する発光体端部２８は戻りリード線２９を介してピンチ２７内の箔３０の１つに接続されている。戻りリード線２９はその場合２個の節２６の間を正確に通っている。
【００２６】
図４は図１乃至図３に示された節を実現するための第１の実施例を示す。節系３５の高さのところの断面（図４ａ）は、系が発光体３７まで達してこの発光体を固定する３個の節３６から形成されている様子を示している。片側挟搾形電球のケースとして、２個の節３６の間を軸線に平行にバルブ壁３８に沿って案内されている戻りリード線２９が破線で示されている。
【００２７】
図４ｂ及び図４ｃは発光体まで達する４個の節４１を備えた節系４０の領域におけるバルブの縦断面及び横断面を示す。発光体４２は一重に螺旋巻きされ、その場合発光部４３は密に巻回されているのに対して、結合片４４は著しく大きなピッチを持ち、内部ピン３９によって短絡されている。発光体４２は節４１によって軸線方向にもまた半径方向にも固定されている。図４ｃには片側挟搾形電球のケースとして戻りリード線２９が破線で示されている。この戻りリード線２９は２個の隣接する節４１の壁４５の間に挟み込まれている。
【００２８】
図５には図４と同様に節４６の他の実施例が示されている。節の漏斗形状は外側に、すなわちバルブ壁の近傍に、図４に示された漏斗形状より大きな断面を有している。同時に、バルブ壁の漏斗によって形成された窪みは全体的に平坦状をしている。窪みの底４７は発光体４８まで達しておらず、発光体の少し手前で終了している。節４６の寸法と発光体４８の寸法とは互いに調和しているが、それにも拘わらず発光体には僅かな動き自由度しかない。すなわち、発光体は節によってその動き自由度だけを強く制限されるが、固定されていない。系当たり３個の節最小個数によってこの制限は十分であるのに対して、対向配置された２個の節だけをベースとする同種の系は不十分である。というのは、発光体は節に直交して動き得るように維持されているからである。
【００２９】
この実施例では窪みの底と発光体との間の距離はフィラメント線の直径の１〜１０倍のオーダであるのが有利である。
【００３０】
本発明はここで述べた実施例に限定されない。特に本発明による電球は中電圧又は低電圧でも作動することができる。
【００３１】
一重螺旋巻きの代わりに二重螺旋巻きを使用することもできる。この場合、発光部だけが二重に螺旋巻きされるのに対して、非発光の結合片は一重に螺旋巻きされることが可能である。種々異なったピッチ又は中心ピンの使用の上述した技術は、二重螺旋巻きにおいても同じように適用することができる。
【図面の簡単な説明】
【図１】本発明の両側挟搾形ハロゲン電球の第１の実施例の、ａは側面図、ｂはａに対して９０°回転させたものの側面図である。
【図２】本発明の別の実施例の、ａは系当たり４個の節を持つものの側面図、ｂは系当たり６個の節を持つものの側面図である。
【図３】本発明の片側挟搾形ハロゲン電球の実施例の側面図である。
【図４】本発明の突出部の実施例の断面図である。
【図５】本発明の突出部の別の実施例の断面図である。
【符号の説明】
１  ハロゲン電球
２  バルブ
３  排気管先端
４  ヒンチシール
５  発光体
６  発光部
７  結合片
８  リード線
９  封着箔
１０  セラミック口金
１１  系
１２  節
１３  バルブセグメント
１５  バルブセグメント
１６、１６′  系
１７、１７′  節
１８  排気管
１９  干渉フィルタ
２０  片側挟搾形電球
２１  バルブ
２２  発光体
２３  発光部
２４  結合片
２５  系
２６  節
２７  ピンチ
２８  発光体端部
２９、３１  リード線
３０  箔
３６  節
３７  発光体
３９  内部ピン
４０  節系
４１、４６  節
４２、４８  発光体
４３  発光部
４４  結合片
４７  底
【図１】
0003704204.tif 000002
【図２】
0003704204.tif 000003
【図３】
0003704204.tif 000004
【図４】
0003704204.tif 000005
【図５】
0003704204.tif 000006